(57)【要約】      （修正有）【課題】構造が簡単で、かつモップヘッドが水絞フレームを通過する過程で使用上の要求に応じて洗浄剤を散布する水絞モップを提供する。【解決手段】モップ柄１１と、モップ柄に連結しかつモップ柄に対して回転行程１３０を行い、モップ布１２が設けられるモップヘッド１３とを含み、モップ柄が、モップ柄に設けられ、モップ柄に対して軸方向変位行程１４０を行う水絞フレーム１４を有し、水絞フレームが、モップヘッドが通過可能な通路１４１と、通路内に設けられて、モップヘッドが通路を通過する際にモップ布に面する水絞部１４２と、通路内に設けられて、モップヘッドが通路を通過する際にモップ布に面し、洗浄液を貯蔵する洗浄液放出部１５とを有し、洗浄液放出部が、制御されて、通路内に向かって洗浄液を提供するか、または、モップ布を洗浄するよう、モップヘッドが通路を通過する際にモップ布に洗浄液を提供する洗浄液を放出可能である。【選択図】図２
0003213729.tif 000002
【実用新案登録請求の範囲】
【請求項１】
モップ柄と、
前記モップ柄に連結し、かつ、前記モップ柄に対して回転行程を行い、かつ、モップ布が設けられるモップヘッドと、
を含み、
前記モップ柄は、前記モップ柄に設けられ、前記モップ柄に対して軸方向変位行程を行う水絞フレームを有し、
前記水絞フレームは、
前記モップヘッドが通過可能な通路と、
前記通路内に設けられ、前記モップヘッドが前記通路を通過する際に前記モップ布に面する水絞部と、
を有する、洗浄液を放出可能な水絞モップであって、
前記水絞フレームは、前記通路内に設けられて、前記モップヘッドが前記通路を通過する際に前記モップ布に面し、洗浄液を貯蔵する洗浄液放出部を有し、
前記洗浄液放出部は、制御されて、前記通路内に向かって前記洗浄液を提供するか、または、前記モップ布を洗浄するよう、前記モップヘッドが前記通路を通過する際に前記モップ布に前記洗浄液を提供することを特徴とする、洗浄液を放出可能な水絞モップ。
【請求項２】
前記洗浄液放出部は、
前記通路に対応して設けられる液体放出口と、
前記液体放出口に連結される貯液ユニットと、
前記液体放出口に対応して設けられ、選択可能に開放または閉鎖する給液制御モジュールと、
を含むことを特徴とする、請求項１に記載の洗浄液を放出可能な水絞モップ。
【請求項３】
前記貯液ユニットは、前記水絞フレームにより形成されるチャンバーであることを特徴とする、請求項２に記載の洗浄液を放出可能な水絞モップ。
【請求項４】
前記貯液ユニットは、前記水絞フレームに付設される容器であることを特徴とする、請求項２に記載の洗浄液を放出可能な水絞モップ。
【請求項５】
前記容器は、前記液体放出口に対応して設けられる出口を有し、
前記給液制御モジュールは、前記出口を介して前記容器内に設けられるとともに前記液体放出口に対応していることを特徴とする、請求項４に記載の洗浄液を放出可能な水絞モップ。
【請求項６】
前記給液制御モジュールは、
前記出口に対応して設けられる座管と、
前記座管内に設けられ、かつ、前記出口に面する膜片と、
を含み、
前記膜片は、選択可能に開放または閉鎖する液体放出スリットを有し、
前記容器は、
制御されて、前記出口に向かって移動し、前記容器内の体積を変更することができるボタンと、
前記ボタンと前記座管との間に設けられ、前記ボタンに復帰する力を提供するバネと、
を有することを特徴とする、請求項５に記載の洗浄液を放出可能な水絞モップ。
【請求項７】
前記水絞フレームは、
前記容器の設置に供する取付溝と、
前記取付溝に設けられて前記ボタンの離脱を制限する制限リングと、
を含むことを特徴とする、請求項６に記載の洗浄液を放出可能な水絞モップ。
【請求項８】
前記給液制御モジュールは、
前記出口に対応して設けられる座管と、
前記座管内に設けられ、かつ、前記出口に面する膜片と、
を含み、
前記膜片は、選択可能に開放または閉鎖する液体放出スリットを有し、
前記容器は、
制御されて、前記出口に向かって移動し、前記容器内の体積を変更することができるボタンと、
前記ボタンに復帰する力を提供するバネと、
を有し、
前記バネの一端は、前記ボタンに設けられ、前記バネの他端は、前記座管に隣接する容器の内壁に設けられることを特徴とする、請求項５に記載の洗浄液を放出可能な水絞モップ。
【請求項９】
前記水絞フレームは、
前記容器の設置に供する取付溝と、
前記取付溝に設けられて前記ボタンの離脱を制限する制限リングと、
を含むことを特徴とする、請求項８に記載の洗浄液を放出可能な水絞モップ。
【請求項１０】
前記液体放出口は、前記モップ布に対して液体の放出方向を有し、
前記放出方向は、前記モップ布に対して鉛直であるか、または傾角を有することを特徴とする、請求項２に記載の洗浄液を放出可能な水絞モップ。
【請求項１１】
前記液体止め部品は、
前記モップ布に触発されない場合に前記洗浄液の供給を禁止する閉鎖状態と、
前記モップ布が前記通路を通過する際に前記モップ布に触発され前記洗浄液を前記モップ布に供給する開放状態と、
を有することを特徴とする、請求項２〜１０のいずれかに記載の洗浄液を放出可能な水絞モップ。
【請求項１２】
前記水絞フレームは、少なくとも前記通路内に設けられ、前記モップヘッドが前記通路を通過する際に前記モップヘッドと接触する補助ローラを含むことを特徴とする、請求項２〜１０のいずれかに記載の洗浄液を放出可能な水絞モップ。
【請求項１３】
前記モップヘッドは、矩形であり、前記モップヘッドが前記通路を通過する際にその長辺が前記モップ柄と並行し、前記水絞部の前記通路内にある長さが前記モップヘッドの短辺の長さより短くないことを特徴とする、請求項２〜１０のいずれかに記載の洗浄液を放出可能な水絞モップ。
【考案の詳細な説明】
【技術分野】
【０００１】
本考案は、清掃用品に関するもので、特に、モップ布に洗浄液を放出可能な水絞モップに関するものである。
【背景技術】
【０００２】
モップ布の洗浄と整理をしやすくするために、現在、ユーザに広く愛用されている水絞モップが市販されている。当該水絞モップは、洗浄時にモップ布をモップヘッドから分離する必要がなく、当該水絞モップに設けられている水絞機構によりモップ布の水絞りを行うが、長期間使用されると、当該モップ布には汚れが溜まりやすくなり、また、その汚れは当該水絞機構により除去できないものであるため、当該水絞モップの清潔効果にも影響していた。
【０００３】
従来の実施形態によれば、汚れてしまった当該モップ布を洗浄しようとすると、依然として当該モップ布を当該モップヘッドから分離してから、当該モップ布に洗浄液を散布し、汚れを除去する必要がある。それだけでなく、現在のところ、当該水絞モップの洗浄効果は依然として一般的な汚れに限られ、洗浄されにくい場所の洗浄を行おうとすると、余計に洗浄液を散布しなければ当該水絞モップの洗浄効果を高めることができないので、非常に不便であった。
【０００４】
上記の課題を解決するために、たとえば中国実用新案公告第ＣＮ２０５０５４０８０Ｕで開示されているもののように、メーカから多くの解決手段が提案されている。当該実用新案には、下端に板状モップヘッドがヒンジ連結されているモップ柄を含む多機能散水モップが開示されている。また、前記モップ柄の中段には貯水箱が設けられていて、前記貯水箱が単向弁によりスプレーヘッドと連結されている。前記スプレーヘッドの入水端には圧力管が連結されていて、前記圧力管の他端には圧力装置が連結されている。また、前記連結管の上段には第１の電磁気バルプが設けられていて、前記第１の電磁気バルプが第１のスイッチにより電池セットに電気的に接続されており、前記第１のスイッチが前記モップ柄の上段に位置している。また、前記連結管の中段には分岐管が連結されていて、前記分岐管が第２の電磁気バルプにより洗浄液タンクに連結されている。前記洗浄液タンク内部に圧力を有し、前記第２の電磁気バルプが第２のスイッチにより前記電池セットに電気的に接続されている。
【０００５】
しかしながら、前記実用新案で開示されている技術は、当該水絞モップの洗浄効果が好ましくないという課題をある程度解決できたものの、現在のところ、当該水絞モップの使用過程において遭遇する課題を解決する技術的思想を提供することはできていない。
【考案の概要】
【考案が解決しようとする課題】
【０００６】
本考案は、現在の水絞モップが遭遇する使用上の問題を解決し、構造が簡単で、かつモップヘッドが水絞フレームを通過する過程で使用上の要求に応じて洗浄剤を散布する水絞モップを提供することを主な目的とするものである。
【課題を解決するための手段】
【０００７】
上記の目的を達するため、本考案では、次の技術的思想を提供する。すなわち、洗浄液を放出可能な水絞モップであって、モップ柄と、前記モップ柄に連結しかつ前記モップ柄に対して回転行程を行い、モップ布が設けられるモップヘッドとを含み、前記モップ柄が、前記モップ柄に設けられ、前記モップ柄に対して軸方向変位行程を行う水絞フレームを有し、前記水絞フレームが、前記モップヘッドが通過可能な通路と、前記通路内に設けられ、前記モップヘッドが前記通路を通過する際に前記モップ布に面する水絞部とを有するものである。さらに、前記水絞フレームが、前記通路内に設けられて、前記モップヘッドが前記通路を通過する際に前記モップ布に面し、洗浄剤を貯蔵する洗浄剤放出部を有し、前記洗浄剤放出部が、制御されて、前記通路内に向かって前記洗浄剤を提供するか、または、前記モップ布を洗浄するよう、前記モップヘッドが前記通路を通過する際に前記モップ布に前記洗浄剤を提供するというものである。
【０００８】
一実施例において、前記洗浄剤放出部は、前記通路に対応して設けられる液体放出口と、前記液体放出口に連結される貯液ユニットと、前記液体放出口に対応して設けられ、選択可能に開放または閉鎖する給液制御モジュールとを含む。
【０００９】
一実施例において、前記貯液ユニットは、前記水絞フレームにより形成されるチャンバーである。
【００１０】
一実施例において、前記貯液ユニットは、前記水絞フレームに付設される容器である。
【００１１】
一実施例において、前記容器は、前記液体放出口に対応して設けられる出口を有し、前記給液制御モジュールは、前記出口を介して前記容器内に設けられるとともに前記液体放出口に対応している。
【００１２】
一実施例において、前記給液制御モジュールは、前記出口に対応して設けられる座管と、前記座管内に設けられ、かつ前記出口に面する膜片とを含み、前記膜片は、選択可能に開放または閉鎖する液体放出スリットを有し、前記容器は、制御されて、前記出口に向かって移動し、前記容器内の体積を変更することができるボタンと、前記ボタンと前記座管との間に設けられ、前記ボタンに復帰する力を提供するバネとを有する。
【００１３】
一実施例において、前記水絞フレームは、前記容器の設置に供する取付口と、前記取付口内に設けられて前記容器の嵌設に供する取付溝と、前記取付溝に設けられて前記ボタンの離脱を制限する制限リングとを含む。
【００１４】
一実施例において、前記給液制御モジュールは、前記出口に対応して設けられる座管と、前記座管内に設けられ、かつ前記出口に面する膜片とを含み、前記膜片は、選択可能に開放または閉鎖する液体放出スリットを有し、前記容器は、制御されて、前記出口に向かって移動し、前記容器内の体積を変更することができるボタンと、前記ボタンに復帰する力を提供するバネとを有する。前記バネの一端は、前記ボタンに設けられ、前記バネの他端は、前記座管に隣接する容器の内壁に設けられる。もう一つの実施例においても、前記バネの一端は、前記ボタンに設けられ、前記バネの他端は、前記座管に隣接する容器の内壁に設けられる。
【００１５】
一実施例において、前記液体放出口は、前記モップ布に対して液体の放出方向を有するが、前記放出方向は、前記モップ布に対して鉛直であっても、または傾角を有してもよい。
【００１６】
一実施例において、前記液体止め部品は、前記モップ布に触発されない場合に前記洗浄液の供給を禁止する閉鎖状態と、前記モップ布が前記通路を通過する際に前記モップ布に触発され前記洗浄液を前記モップ布に供給する開放状態とを有する。
【００１７】
一実施例において、前記水絞フレームは、少なくとも前記通路内に設けられ、前記モップヘッドが前記通路を通過する際に前記モップヘッドと接触する補助ローラを含む。
【００１８】
一実施例において、前記モップヘッドは、矩形であり、前記モップヘッドは、前記通路を通過する際にその長辺が前記モップ柄と並行し、前記水絞部の前記通路内にある長さが前記モップヘッドの短辺の長さより短くない。
【考案の効果】
【００１９】
本考案で開示する技術的思想によれば、従来技術と比較して次の特徴を有する。すなわち、本考案における前記水絞モップは、構造が簡単で、前記モップヘッドが前記水絞フレームを通過して水絞りをする過程で前記洗浄剤を散布して、前記水絞モップヘッドの前記モップ布の汚れを除去して、前記モップの汚れを便利に除去することができる。他方では、前記モップヘッドが水絞後に前記通路に再び進入する際に前記モップ布に前記洗浄剤を再び散布することができ、前記水絞モップの洗浄効果に役立つ。さらに、本考案の構造により前記洗浄液を便利かつ簡単に散布することができる。
【図面の簡単な説明】
【００２０】
【図１】本考案の一実施例における立体外観の模式図。
【００２１】
【図２】本考案の一実施例における局部断面の模式図。
【００２２】
【図３】本考案の一実施例における局部断面の実施模式図（１）。
【００２３】
【図４】本考案の一実施例における局部断面の実施模式図（２）。
【考案を実施するための形態】
【００２４】
次に、図面と関連付けて本考案の技術的内容について詳細に説明する。
【００２５】
図１から図３に記載されているように、本考案は、洗浄液を放出可能な水絞モップ１０を提供するもので、モップ柄１１と、前記モップ柄１１に連結しかつ前記モップ柄１１に対して回転行程１３０を行い、モップ布１２が設けられるモップヘッド１３とを含み、前記モップ柄１１が、前記モップ柄１１に設けられ、前記モップ柄１１に対して軸方向変位行程１４０を行う水絞フレーム１４を有し、前記水絞フレーム１４が、前記モップヘッド１３が通過可能な通路１４１と、前記通路内１４１に設けられ、前記モップヘッド１３が前記通路１４１を通過する際に前記モップ布１２に面する水絞部１４２とを有するものである。さらに、本考案における前記水絞フレーム１４は、前記通路１４１内に設けられ、前記モップヘッド１３が前記通路１４１を通過する際に前記モップ布１２に面し、洗浄剤（図示せず）を貯蔵する洗浄剤放出部１５を有し、前記洗浄剤放出部１５は、制御されて、前記通路１４１内に向かって前記洗浄剤を提供するか、または、前記モップ布１２を洗浄するよう、前記モップヘッド１３が前記通路１４１を通過する際に前記モップ布１２に前記洗浄剤を提供する。
【００２６】
また、本考案における前記モップヘッド１３は、矩形である。水絞りを行う準備する際、まず、前記モップヘッド１３が前記モップ柄１１に対して前記回転行程１３０を行うようにして、前記モップヘッド１３の長辺を前記モップ柄１１の軸方向と平行にする。その後、前記水絞フレーム１４を押し、前記モップ柄１１に沿って前記水絞フレーム１４が前記軸方向変位行程１４０を行うようにする。前記水絞フレーム１４の前進する過程で前記モップヘッド１３が前記通路１４１を通過し、前記水絞部１４２の作用で水絞りをする。前記モップヘッド１３が前記通路１４１を通過する過程で前記洗浄剤放出部１５が、前記モップ布１２が水絞りの過程で同時に洗浄をするよう前記モップ布１２に前記洗浄剤を提供するようにしてもよい。前記水絞フレーム１４が前記軸方向変位行程１４０を終了して、前記モップ布１２の水絞りを完了する際、前記水絞フレーム１４が再び前記軸方向変位行程１４０を行うようにして、通常の状態である未使用の位置に復帰するようにする。前記モップ布１２が再び前記通路１４１に進入する際、前記洗浄剤放出部１５が前記モップ布１２に前記洗浄液を染み込ませるよう前記モップ布１２に前記洗浄剤を再び提供するようにしてもよい。それにより、前記モップ布１２がその後の洗浄で、染み込まされた前記洗浄液により洗浄効果を向上させる。
【００２７】
さらに図３と図４とを参照しつつ、次の通り具体的に説明する。前記洗浄剤放出部１５は、前記通路１４１に対応して設けられる液体放出口１５１と、前記液体放出口１５１に連結される貯液ユニット１５２と、前記液体放出口１５１に対応して設けられ、選択可能に開放または閉鎖する給液制御モジュール１５３とを含む。前記貯液ユニット１５２は、前記水絞フレーム１４と一体形成されるチャンバー（図示せず）であり、または、前記水絞フレーム１４に付設される容器（図３に示す通り）である。次に、本考案において、前記貯液ユニット１５２が前記容器である場合の実施例を説明する。さらに、前記容器は、前記液体放出口１５１に対応して設けられる出口１５４を有し、前記給液制御モジュール１５３は、前記出口１５４を介して前記容器内に設けられるとともに前記液体放出口１５１に対応している。さらに説明すると、前記給液制御モジュール１５３は、前記出口１５４に設けられ、前記出口１５４の側端を密閉して前記洗浄液のみがそれを通過できるようにしている。前記給液制御モジュール１５３の一部の構造は、さらに当該容器内方向に向かって設けられる。さらに、前記給液制御モジュール１５３は、前記出口１５４に対応して設けられる座管１５５と、前記座管１５５内にあって、前記出口１５４に面する膜片１５６とを含み、前記膜片１５６は、選択可能に開放または閉鎖する液体放出スリット１５７を有し、前記容器は、制御されて、前記出口１５４に向かって移動し、前記容器内の体積を変更することができるボタン１５８と、前記ボタン１５８と前記座管１５５との間に設けられ、前記ボタン１５８に復帰する力を提供するバネ１５９とを有する。さらに具体的に説明すると、前記ボタン１５８は、組立後、前記容器の片側の口を密封して、前記容器の外に露出する。前記ボタン１５８が力を受け変位すると、前記ボタン１５８は、前記容器内の容積に変化を生じさせ、前記容器内に貯蔵される前記洗浄液に圧力を加えて、前記液体放出スリット１５７を開放させ、前記洗浄液を噴出させる。また、本考案では、さらに前記ボタン１５８の押圧程度を制御することによって、前記洗浄液の出る多さを決定するようにしてもよい。また、前記バネ１５９の一端を必ず前記座管１５５に設ける必要があるという訳でもない。一実施例において、前記バネ１５９の他端は、前記座管１５５に隣接する容器の内壁に設けられる（図示せず）。
【００２８】
さらに、本考案では、上記の手動による液体の放出のほか、自動的に液体の放出を実施するようにしてもよい。一実施例において、前記給液制御モジュール１５３は、前記モップ布１２に触発されない場合に前記洗浄液の供給を禁止する閉鎖状態と、前記モップ布１２が前記通路１４１を通過する際に前記モップ布１２に触発されて前記洗浄液を前記モップ布１２に供給する開放状態とを有する。より具体的に説明すると、前記液体放出スリット１５７の開放または閉鎖は、前記モップヘッド１３が前記通路１４１を通過する際の触発によるものである。すなわち、前記モップヘッド１３が前記通路１４１を通過する際、前記モップ布１２が前記通路１４１の形状により押し出される。前記モップ布１２が押し出される過程で、前記膜片１５６が前記モップ布１２の押出しによって生じる圧力により閉鎖から開放に転じ、前記洗浄液を放出して自動的に液体を放出するという目的が達せられる。
【００２９】
さらに図３と図４とを参照すると、一実施例において、前記水絞フレーム１４は、前記容器の設置に供する取付溝１３４と、前記取付溝１３４に設けられて前記ボタン１５８の離脱を制限する制限リング１４４とを含む。さらに、前記取付溝１３４の態様は、取付予定の前記容器によって調整して設計してもよく、また、前記取付溝１３４の溝内スペースは前記液体放出口１５１とつながっている。また、前記制限リング１４４は、前記取付溝１３４において前記液体放出口１５１から離れる端部に設けられている。前記制限リング１４４は、組立完成後、前記ボタン１５８を取り囲み、前記ボタン１５８の変位を制限する。
【００３０】
さらに図４を参照すると、また、本考案における前記液体放出口１５１は、前記モップ布１２に対して液体の放出方向を有するが、前記放出方向は、前記モップ布１２に対して鉛直であるか、または傾角を有する。前記放出方向の違いによって前記モップ布１２へ前記洗浄液を散布する範囲に影響する。たとえば、前記液体放出口１５１の前記放出方向が前記モップ布１２に対して鉛直であるとき、前記洗浄液は単一の場所に重点的に散布される。前記液体放出口１５１の前記放出方向が前記モップ布１２に対して傾角を有するとき、前記洗浄液は、前記モップ布１２に広範囲に散布される。また、前記水絞フレーム１４は、少なくとも前記通路１４１内に設けられ、前記モップヘッド１３が前記通路１４１を通過する際に前記モップヘッド１３と接触する補助ローラ１４５を含む。
【００３１】
以上、本考案について詳細に説明しているが、以上の内容は、本考案の好ましい実施例にすぎず、それによって本考案の実施の範囲が限定されることがあってはならない。すなわち、本考案に係る実用新案登録請求の範囲に基づいて行われる均等な変更や追加もすべて本考案に係る権利の範囲に含まれるものである。
【符号の説明】
【００３２】
１０  水絞モップ
１１  モップ柄
１４０  軸方向変位行程
１２  モップ布
１３  モップヘッド
１４  水絞フレーム
１４０  回転行程
１４１  通路
１４２  水絞部
１４３  取付溝
１４４  制限リング
１４５  補助ローラ
１５  洗浄液放出部
１５１  液体放出口
１５２  貯液ユニット
１５３  給液制御ユニット
１５４  出口
１５５  座管
１５６  膜片
１５７  液体放出スリット
１５８  ボタン
１５９  バネ
【図１】
0003213729.tif 000003
【図２】
0003213729.tif 000004
【図３】
0003213729.tif 000005
【図４】
0003213729.tif 000006
【手続補正書】
【提出日】平成29年9月28日(2017.9.28)
【手続補正１】
【補正対象書類名】実用新案登録請求の範囲
【補正対象項目名】全文
【補正方法】変更
【補正の内容】
【実用新案登録請求の範囲】
【請求項１】
モップ柄と、
前記モップ柄に連結し、かつ、前記モップ柄に対して回転行程を行い、かつ、モップ布が設けられるモップヘッドと、
を含み、
前記モップ柄は、前記モップ柄に設けられ、前記モップ柄に対して軸方向変位行程を行う水絞フレームを有し、
前記水絞フレームは、
前記モップヘッドが通過可能な通路と、
前記通路内に設けられ、前記モップヘッドが前記通路を通過する際に前記モップ布に面する水絞部と、
を有する、洗浄液を放出可能な水絞モップであって、
前記水絞フレームは、前記通路内に設けられて、前記モップヘッドが前記通路を通過する際に前記モップ布に面し、洗浄液を貯蔵する洗浄液放出部を有し、
前記洗浄液放出部は、制御されて、前記通路内に向かって前記洗浄液を提供するか、または、前記モップ布を洗浄するよう、前記モップヘッドが前記通路を通過する際に前記モップ布に前記洗浄液を提供することを特徴とする、洗浄液を放出可能な水絞モップ。
【請求項２】
前記洗浄液放出部は、
前記通路に対応して設けられる液体放出口と、
前記液体放出口に連結される貯液ユニットと、
前記液体放出口に対応して設けられ、選択可能に開放または閉鎖する給液制御モジュールと、
を含むことを特徴とする、請求項１に記載の洗浄液を放出可能な水絞モップ。
【請求項３】
前記貯液ユニットは、前記水絞フレームにより形成されるチャンバーであることを特徴とする、請求項２に記載の洗浄液を放出可能な水絞モップ。
【請求項４】
前記貯液ユニットは、前記水絞フレームに付設される容器であることを特徴とする、請求項２に記載の洗浄液を放出可能な水絞モップ。
【請求項５】
前記容器は、前記液体放出口に対応して設けられる出口を有し、
前記給液制御モジュールは、前記出口を介して前記容器内に設けられるとともに前記液体放出口に対応していることを特徴とする、請求項４に記載の洗浄液を放出可能な水絞モップ。
【請求項６】
前記給液制御モジュールは、
前記出口に対応して設けられる座管と、
前記座管内に設けられ、かつ、前記出口に面する膜片と、
を含み、
前記膜片は、選択可能に開放または閉鎖する液体放出スリットを有し、
前記容器は、
制御されて、前記出口に向かって移動し、前記容器内の体積を変更することができるボタンと、
前記ボタンと前記座管との間に設けられ、前記ボタンに復帰する力を提供するバネと、
を有することを特徴とする、請求項５に記載の洗浄液を放出可能な水絞モップ。
【請求項７】
前記水絞フレームは、
前記容器の設置に供する取付溝と、
前記取付溝に設けられて前記ボタンの離脱を制限する制限リングと、
を含むことを特徴とする、請求項６に記載の洗浄液を放出可能な水絞モップ。
【請求項８】
前記給液制御モジュールは、
前記出口に対応して設けられる座管と、
前記座管内に設けられ、かつ、前記出口に面する膜片と、
を含み、
前記膜片は、選択可能に開放または閉鎖する液体放出スリットを有し、
前記容器は、
制御されて、前記出口に向かって移動し、前記容器内の体積を変更することができるボタンと、
前記ボタンに復帰する力を提供するバネと、
を有し、
前記バネの一端は、前記ボタンに設けられ、前記バネの他端は、前記座管に隣接する容器の内壁に設けられることを特徴とする、請求項５に記載の洗浄液を放出可能な水絞モップ。
【請求項９】
前記水絞フレームは、
前記容器の設置に供する取付溝と、
前記取付溝に設けられて前記ボタンの離脱を制限する制限リングと、
を含むことを特徴とする、請求項８に記載の洗浄液を放出可能な水絞モップ。
【請求項１０】
前記液体放出口は、前記モップ布に対して液体の放出方向を有し、
前記放出方向は、前記モップ布に対して鉛直であるか、または傾角を有することを特徴とする、請求項２に記載の洗浄液を放出可能な水絞モップ。
【請求項１１】
前記給液制御モジュールは、
前記モップ布に触発されない場合に前記洗浄液の供給を禁止する閉鎖状態と、
前記モップ布が前記通路を通過する際に前記モップ布に触発され前記洗浄液を前記モップ布に供給する開放状態と、
を有することを特徴とする、請求項２〜１０のいずれかに記載の洗浄液を放出可能な水絞モップ。
【請求項１２】
前記水絞フレームは、少なくとも前記通路内に設けられ、前記モップヘッドが前記通路を通過する際に前記モップヘッドと接触する補助ローラを含むことを特徴とする、請求項２〜１０のいずれかに記載の洗浄液を放出可能な水絞モップ。
【請求項１３】
前記モップヘッドは、矩形であり、前記モップヘッドが前記通路を通過する際にその長辺が前記モップ柄と並行し、前記水絞部の前記通路内にある長さが前記モップヘッドの短辺の長さより短くないことを特徴とする、請求項２〜１０のいずれかに記載の洗浄液を放出可能な水絞モップ。